(57)【要約】【課題】検出距離（リードライト可能距離）を小さくすることなく、それでいて触れることによる障害など気にする必要がなく、広範な分野で使用できる電子タグリーダライタを提供することを目的とする。【解決手段】リードライト回路４、制御用回路５、Ｉ／Ｏインタフェース回路６を内蔵するケース本体２と、前記リードライト回路４よりの電磁波を送信し、あるいは外部よりの電磁波を受信するアンテナ３とを備える電子タグリーダライタ１であって、前記アンテナ３を前記ケース本体２外に設け、かつ、このアンテナ３を腕輪状とした。【選択図】  図２
0003132886.tif 000002
【実用新案登録請求の範囲】
【請求項１】
リードライト回路と、制御用回路部とを内蔵するケース本体と、前記リードライト回路よりの電磁波を送信し、あるいは外部よりの電磁波を受信するアンテナとを備える電子タグリーダライタにおいて、前記アンテナを腕輪状にして、前記ケース本体外に設けたことを特徴とする電子タグリーダライタ
【請求項２】
前記腕輪状のアンテナは、前記ケース本体を手首に装着するための腕輪を兼ねることを特徴とする請求項１記載の電子タグリーダライタ。
【請求項３】
前記ケース本体を手首に装着するための腕輪を備え、前記腕輪状のアンテナは、前記腕輪とは別体に形成されたものであることを特徴とする請求項１記載の電子タグリーダライタ。
【請求項４】
前記腕輪状のアンテナは、輪の大きさが手首を挿通可能な大きさに設定してあることを特徴とする請求項３記載の電子タグリーダライタ。
【請求項５】
前記腕輪状のアンテナは、帯状の導電体で形成され、前記ケース本体へは、少なくとも１端がワンタッチで脱着可能としたことを特徴とする請求項１、請求項２又は請求項３記載の電子タグリーダライタ。
【請求項６】
前記腕輪状のアンテナは、少なくとも一部が伸縮自在な導電性材で形成したことを特徴とする請求項１、請求項２又は請求項３記載の電子タグリーダライタ。
【請求項７】
前記腕輪状のアンテナは、コード状の導電体で形成され、前記ケース本体へは、少なくとも１端がコネクタにより脱着可能としたことを特徴とする請求項１、請求項２、又は請求項３記載の電子タグリーダライタ。
【考案の詳細な説明】
【技術分野】
【０００１】
この考案は、電子（無線）タグを用いて物品、情報を管理するシステムに使用するのに好適な電子タグリーダライタに関する。
【背景技術】
【０００２】
電子タグは、近年普及して、さまざまなシステムで用いられている。この種のシステムで使用される電子タグリーダライタは、リードライト用のアンテナを含む通信回路と、制御用ＣＰＵとから構成されるのが一般的である（例えば特許文献１参照）。
【０００３】
そして、人間が電子タグを所持するものとして、例えば定期券や電子マネーなどがあり、また逆に、商品にタグを取り付け、人間が電子タグのリーダライタを所持するシステムとしては、在庫管理やトレーサビリティの確保を行うシステムがある。
【０００４】
この人間が所持するリーダライタとしては、近年図９に示すものが市販されている。この電子タグリーダライタは、ケース本体５１と、このケース本体５１にリード線５２、コネクタ５３によって接続されるアンテナ部５４と、ケース本体５１を手首に装着するための腕輪５５と、から構成されている。ケース本体５１内には、リードライト用通信回路、制御用ＣＰＵ等の回路部が収納されている。アンテナ部５４内には、アンテナ５６が配置され、リード線５２によりケース本体５１内のリードライト用通信回路に接続されている。また、アンテナ部５４には、指に装着するための指輪５７が一体的に形成されている。
【０００５】
この電子タグリーダライタを使用する際は、腕輪５５を手首に装着し、指輪５７を中指に装着する。電子タグのデータを読み取るため、指輪５７と一体のアンテナ部５４のアンテナ５６を電子タグに対面するように姿勢を向けて、読取動作を行う。
【特許文献１】特開２００６−３１８０７８公報
【考案の開示】
【考案が解決しようとする課題】
【０００６】
上記した在庫管理やトレーサビリティの確保等に用いる電子タグリーダライタは、保持する必要のない形状であれば、携帯し易く、読み取り操作のために取り上げたり持ち替えたりする動作が不要であるため、作業効率の点で望まれるところである。
【０００７】
この要望に応えるものとして、上記した図９に示すようにケース本体に、外付けの指輪型保持部を持つアンテナを用いているものが、提案されている。また、アンテナをケース本体に内蔵するタイプのものであっても、機器本体（ケース本体）が指輪程度のものであれば、作業効率の点で効果がある。
【０００８】
しかしながら、指輪型保持部を持つアンテナのものでは、小型化が出来るが、指に装着している際、アンテナ部、指輪部分は硬い物体や水を始め、機器にとって障害の要因となる物に触れる機会が多く、また作業によっては指輪であっても支障になることもあるため、日常生活で違和感なく利用できるようにするためには、なお多くの課題を解決しなければならず、その上アンテナが指輪程度の大きさであると、検出距離が小さいという不都合もあり、実用化は非常に困難である、という問題が残されている。
【０００９】
この考案は、上記問題点に着目してなされた物であって、検出距離（リードライト可能距離）を小さくすることなく、それでいて触れることによる障害など気にする必要がなく、広範な分野で使用できる電子タグリーダライタを提供することを目的とする。
【課題を解決するための手段】
【００１０】
この考案の電子タグリーダライタは、  リードライト回路と、制御用回路部とを内蔵するケース本体と、前記リードライト回路よりの電磁波を送信し、あるいは外部よりの電磁波を受信するアンテナとを備えるものにおいて、前記アンテナを腕輪状にして、前記ケース本体外に設けたことを特徴とする。
【００１１】
この考案において、前記腕輪状のアンテナは、前記ケース本体を手首に装着するための腕輪を兼ねることが出来る。
【００１２】
また、この考案において、前記ケース本体を、手首に装着するための腕輪を備え、前記腕輪状のアンテナは、前記腕輪とは別体に形成しても良い。
【００１３】
また、この考案において、前記腕輪状のアンテナは輪の大きさが手首を挿通可能な大きさに設定しても良い。
【００１４】
また、この考案において、前記腕輪状のアンテナは、帯状の導電体で形成され、前記ケース本体へは、少なくとも１端がワンタッチで装着可能としても良い。
【００１５】
また、この考案において、前記腕輪状のアンテナは、少なくとも一部が伸縮自在な導電性材で形成しても良い。
【００１６】
また、この考案において、前記腕輪状のアンテナは、コード状の導電体で形成され、前記ケース本体へは、少なくとも１端がコネクタにより脱着可能としても良い。
【考案の効果】
【００１７】
この考案によれば、アンテナを腕輪状にして、前記本体ケース外に設けているので、指輪型のアンテナのように機器の大きさの制約を受けることが少なく、腕輪状のアンテナは検出範囲が広く取れるので、使用時、その他でアンテナが障害物体や水に触れることが少なく、したがって、「触れるものが障害の要因になりにくいものに限定される」といった指輪型の制限がなく、広範囲な日常生活をサポートするシステムに使用可能となり、ひいては防災・防犯や独居老人の生活支援といった社会問題の解決に寄与することができる。
【考案を実施するための最良の形態】
【００１８】
以下実施の形態により、この考案をさらに詳細に説明する。
【００１９】
＜実施形態１＞
図1は、この考案の実施形態１を示す電子タグリーダライタの外観斜視図である。図1に示す電子タグリーダライタ１は、ケース本体２と、このケース本体２に取り付けられた腕輪状アンテナ３とから構成されている。
【００２０】
ケース本体２には、図2に示すように電子タグリーダライタモジュール４と、制御用のＣＰＵモジュール５と、外部のＰＣ（パソコン）、携帯電話器、ＰＤＡ等の機器とデータの授受を行うＩ／Ｏインタフェース６と、これら電子タグリーダライタモジュール4と制御用のＣＰＵモジュール５、Ｉ／Ｏインタフェース６に電源を供給する電池７とを備え、図示は省略するが本体ケース２内で回路基板上に実装されている。もっとも、ケース本体２内に備えた各回路は、それ自体良く知られたものである。
【００２１】
アンテナ3は、腕輪状をしており、帯状の導電体で形成されている。アンテナの特性状から、このアンテナ3は、帯状のフレキシブル基板にパターン状に導体配線が巻回されるものであっても良い。このアンテナ3の一端３ａと他端３ｂは、本体ケース２内で、電子タグリーダライタモジュール４の通信部のアンテナ接続端４ａ，４ｂに接続されている。
【００２２】
アンテナ３の腕輪径は、一般人の手首の径より大きくして余裕を持たせ、装着時に手首を挿通して図３に示すように手首Ｇに電子タグリーダライタ１を装着し得るように設定してある。ここでは、アンテナ３が、電子タグリーダライタ１の装着腕帯を兼ねている。
【００２３】
電子タグリーダライタ１と、電子タグとのデータの授受の場合には、手首の電子タグリーダライタ１を、電子タグ近傍に近づけることにより、アンテナ３の大きさが腕輪程度に大きいので、容易に通信を行うことができる。
【００２４】
＜実施形態２＞
図４は、この考案の実施形態２を示す電子タグリーダライタの外観斜視図である。この電子タグリーダライタ１１も、ケース本体２と腕輪状のアンテナ３とから構成される点で図１に示すものと同様である。
【００２５】
この実施形態２の特徴は、アンテナ３の一端３Ａをケース本体２の接続端４Ａに、ワンタッチで脱着し得るようにしたことである。アンテナ３の一端３Ａには図４、図５に示すように、アンテナ３の側方端よりスナップ板片８ａ、８ｂを設けるとともに、一端３Ａの下面中央より接続クリップ９を突出させている。また、ケース本体２の接続端４Ａには、接続クリップ９に対応する位置に、クリップ９を受け入れる穴１０を設けている。
【００２６】
この実施形態２の電子タグリーダライタ１１を、手首に装着する際には、図４に示す状態で、腕輪状のアンテナ３に手首を通し、図５に示すようにアンテナ３の一端３Ａのクリップ９をケース本体２の接続端４Ａの穴１０に差し込み、ワンタッチで装着する。この実施形態では、一般人の手首の太さより、やや大きい径を設定できる。
【００２７】
＜実施形態３＞
図６は、この考案の実施形態３を示す電子タグリーダライタの上面図である。この電子タグリーダライタ２１も、ケース本体２と腕輪状のアンテナ３とから構成される点で図１、図４に示すものと同様である。
【００２８】
この実施形態３の特徴は、アンテナ３を帯状の金属体で形成される部分３Ｃ，３Ｄと、これらの金属体３Ｃ，３Ｄの間に導電ゴムで形成される部分３Ｅを設けて１個の腕輪状アンテナを構成したことである。
【００２９】
この実施形態電子タグリーダライタ２１を手首に装着する際には、アンテナ３の腕輪部分に手指の先端部分を入れ、導電ゴム部分３Ｅを引き伸ばして手首に電子タグリーダライタ２１を装着する。この実施形態でも、一般人の手首の太さより、やや大きい径にアンテナ３の径を設定できる。
【００３０】
＜実施形態４＞
図７は、この考案の実施形態４を示す電子タグリーダライタの外観斜視図である。この電子タグリーダライタ３１も、ケース本体２と腕輪状のアンテナ３とから構成される点で図１、図４、図６に示すものと同様である。
【００３１】
この実施形態４の特徴は、アンテナ３をコード状の導体で形成し、このコード状の導体３の一端にプラグ３Ｆを設け、また、本体ケース２の側端にプラグ３Ｆを受け入れるコネクタ４Ｆを設け、アンテナ３のプラグ３Ｆをコネクタ４Ｆに脱着自在としたことである。
【００３２】
この実施形態電子タグリーダライタ３１を手首に装着する際には、図７に示す状態で腕輪状のアンテナ３に手首を通し、その後アンテナ３のプラグ３Ｆをケース本体２のコネクタ４Ｆに差し込む。この実施形態でも、一般人の手首の太さより、やや大きい径にアンテナ３の径を設定できる。
【００３３】
＜実施形態５＞
図８は、この考案の実施形態５を示す電子タグリーダライタの外観斜視図である。この実施形態電子タグリーダライタ４１の大きな特徴は、図１、図４、図６、図７に示したものと相違して、ケース本体２を手首に装着するための腕輪（バンド）１２とは別体で、腕輪状のアンテナ３を設けていることである。
【００３４】
この実施形態において、ケース本体２は、伸縮自在な例えばゴム製の腕輪１２に保持されており、この腕輪１２に手首を通すことにより、ケース本体２を手首近傍の腕に腕輪１２によりフィットさせて、保持することができる。
【００３５】
アンテナ３は、腕輪状の金属体であり、アンテナケース部３Ｇ内の共振回路に両端３Ａ，３Ｂが接続されている。アンテナ３の径は、腕輪１２の径よりも大きく、腕輪部分に手首を挿通できる程度に設定してある。アンテナケース部３Ｇ内には共振回路のみが収納され、アンテナケース部３Ｇは、ケース本体２と一体的に形成され、共振回路は、ケース連結部３Ｈ内で、ケース本体２内の通信回路部に接続されている。アンテナケース部３Ｇは、ケース本体２とは別体とし、コネクタでケース本体２に接続するようにしても良い。
【００３６】
この実施形態電子タグリーダライタ４１を手首近くの腕に装着し、使用する際には、図８の矢符Ａの方向から手首部分を通過させた時点で、腕輪１２により、電子タグリーダライタ４１は腕に固着される。この実施形態の電子タグリーダライタは、腕輪とは、別に大きな径のアンテナを備えるので、装着時に余裕がある上、アンテナを、ケース本体に一体的に形成されるアンテナケース部に固定するので、一定の向きにアンテナを確保でき、安定したリードライトを行うことが出来る。
【００３７】
なお、この実施形態の変形例として、アンテナケース部３Ｇをなくし、ケース本体２の側部にアンテナ３の両端３Ａ、３Ｂを接続するようにしても良い。また、アンテナ３のケース本体への接続は、図４、図６、図７に示す方法で行うようにしてもよい。
【００３８】
また、上記各実施形態は、手首近くの腕に装着する腕用の電子タグリーダライタについて説明したが、この考案は、例えば、床面に埋設されたＩＣタグをリードライトするために足首近くの脚に装着する足用の電子タグリーダライタとしても適用できる。
【図面の簡単な説明】
【００３９】
【図１】この考案の実施形態１の電子タグリーダライタを示す外観斜視図である。
【図２】同実施形態１の電子タグリーダライタの回路構成を示す回路ブロック図である。
【図３】同実施形態１の電子タグリーダライタを手首に装着した状態を示す外観斜視図である。
【図４】この考案の実施形態２の電子タグリーダライタを示す外観斜視図である。
【図５】同実施形態２の電子タグリーダライタのアンテナとケース本体接続部の接続状態を示す断面図である。
【図６】この考案の実施形態３の電子タグリーダライタを示す上面図である。
【図７】この考案の実施形態４の電子タグリーダライタを示す外観斜視図である。
【図８】この考案の実施形態５の電子タグリーダライタを示す外観斜視図である。
【図９】従来の電子タグリーダライタの一例を示す外観斜視図である。
【符号の説明】
【００４０】
１、１１、２１、３１、４１          電子タグリーダライタ
２                                  ケース本体
３                                  アンテナ
４                                  電子タグリーダライタモジュール
５                                  ＣＰＵモジュール
６                                  Ｉ／Ｏインタフェース回路
７                                  電池
８ａ、８ｂ                          スナップ板片
９                                  クリップ
１０                                穴
１２                                ケース本体装着用の腕輪  
【図１】
0003132886.tif 000003
【図２】
0003132886.tif 000004
【図３】
0003132886.tif 000005
【図４】
0003132886.tif 000006
【図５】
0003132886.tif 000007
【図６】
0003132886.tif 000008
【図７】
0003132886.tif 000009
【図８】
0003132886.tif 000010
【図９】
0003132886.tif 000011